(57)【要約】【課題】取っ手を用いて容易に持ち運び可能であり、かつ、安定して積み重ねることができる容器を提供する。【解決手段】容器１は、上面部１１を有する容器本体１０と、上面部１１に形成された開口部１４と、開口部１４を通って容器本体１０の外部に突出可能であり、かつ、容器本体１０の内部に収納可能である取っ手部２１を有する取っ手とを備えるものとした。このとき、取っ手は、容器本体１０の対向する２つの内壁に沿って位置する平板状の第１及び第２取っ手本体５０と、取っ手部２１を形成する第１及び第２取っ手部２１と、第１及び第２取っ手本体５０が容器本体１０の内部に留まるための第１及び第２抜け留め面部５１とを有するものとした。【選択図】図６
2012210981.tif 000002
【特許請求の範囲】
【請求項１】
上面部を有する容器本体と、
前記上面部に形成された開口部と、
前記開口部を通って前記容器本体の外部に突出可能であり、かつ、前記容器本体の内部に収納可能である取っ手部を有する取っ手と、
を備え、
前記取っ手は、
前記容器本体の内部に位置し、平板状である第１取っ手本体及び第２取っ手本体と、
前記取っ手部を形成する第１取っ手部及び第２取っ手部と、
前記第１取っ手部と前記第１取っ手本体との間、及び、前記第２取っ手部と前記第２取っ手本体との間に折り線を介してそれぞれ設けられ、前記第１取っ手本体及び前記第２取っ手本体が前記容器本体の外部に突出せず、前記容器本体の内部に留まるための第１抜け留め面部及び第２抜け留め面部とを有し、
前記第１取っ手本体と前記第１抜け留め面部と前記第１取っ手部と、前記第２取っ手本体と前記第２抜け留め面部と前記第２取っ手部とは、前記第１取っ手部と前記第２取っ手部との間に形成された中央折り線で連接され、かつ、対称な形状であり、
前記取っ手部は、前記中央折り線に沿って折り重ねて形成され、
前記第１取っ手本体及び前記第２取っ手本体は、前記容器本体の対向する２つの内壁に沿って位置すること、
を特徴とする容器。
【請求項２】
請求項１に記載の容器において、
前記第１抜け留め部及び第２抜け留め面部は、前記取っ手部が前記容器本体の外部に突出した状態で、前記上面部に沿って略平行な面となること、
を特徴とする容器。
【請求項３】
請求項１又は請求項２に記載の容器において、
前記第１取っ手部は、取っ手用開口部を有し、
前記第２取っ手部は、前記取っ手用開口部に対応する位置に、切り抜き線と開口部折り線とによって形成された開口部片を有し、
前記開口部片が前記開口部折り線に沿って前記取っ手用開口部側へ折られることにより、前記取っ手部の取っ手用開口部が貫通して形成されること、
を特徴とする容器。
【請求項４】
請求項１から請求項３までのいずれか１項に記載の容器において、
前記開口部は、前記開口部の他の部分に比べて、開口が大きく形成された部分を有すること、
を特徴とする容器。
【発明の詳細な説明】
【技術分野】
【０００１】
本発明は、取っ手を用いて持ち運び可能である容器に関するものである。
【背景技術】
【０００２】
従来、特許文献１に開示されるような、ジュースやビール等の飲料入りの缶を６本まとめて収納する紙製のケース等が知られている。
また、特許文献２には、酒等の飲料を収容する細首瓶を複数本収納する容器として、取っ手部を一方側へ折り曲げて瓶の頭部上面に当接させ、その取っ手部の上面と、取っ手部の反折り曲げ側に収納されている瓶の頭部上面とにより、他の容器等を積み重ねることが可能となる取っ手付き容器が開示されている。
さらに、特許文献３には、外容器の蓋の略中央に、切り込み形成された取っ手を有する持ち運び用紙製容器が開示されている。
【先行技術文献】
【特許文献】
【０００３】
【特許文献１】登録実用新案第３０３０１３４号公報
【特許文献２】特開平１０−２０３５５７号公報
【特許文献３】特開２００４−１０６８４４号公報
【発明の概要】
【発明が解決しようとする課題】
【０００４】
しかし、特許文献１に示される紙製のケース等は、上面部に持ち運び用の指掛け穴等が形成され、この指掛け穴に指を挿入して持ち運ぶ形態であるため、持ち運びが不便であった。また、このようなケースでは、収納する本数が増えて例えば１２本収納した場合には、その重量により、指掛け穴に指を挿入して持ち運ぶことが困難であり、別途袋に収納する等しなければ持ち運べないという問題があった。
持ち運びを容易にするために、容器の蓋等に取っ手等を形成すると、容器を上下方向に互いに積み重ねて店頭に陳列できなかったり、積み重ねた場合に不安定となって危険であったりするという問題があった。
【０００５】
また、特許文献２に開示される取っ手付き容器は、取っ手部の反折り曲げ側に収納されている瓶の頭部上面と、折り曲げ側に収納された瓶の頭部上面に支持された取っ手部の上面全面によって、この容器の上に積み重ねられる容器の底面が支持される形態であるので、瓶を収納した状態でないと、上下方向に積み重ねることが困難であるという問題があった。
さらに、特許文献３のように、蓋に切り込み形成で、取っ手を形成した場合、複数本の飲料缶を収納する等、容器の内容物の重量が大きくなると、取っ手と蓋との境界部分が破損しやすくなるという問題があった。
【０００６】
本発明の課題は、取っ手を用いて容易に持ち運び可能であり、かつ、安定して積み重ねることができる容器を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、上面部（１１）を有する容器本体（１０）と、前記上面部に形成された開口部（１４）と、前記開口部を通って前記容器本体の外部に突出可能であり、かつ、前記容器本体の内部に収納可能である取っ手部（２１）を有する取っ手と、を備え、前記取っ手は、前記容器本体の内部に位置し、平板状である第１取っ手本体（５０）及び第２取っ手本体（５０）と、前記取っ手部を形成する第１取っ手部（２１）及び第２取っ手部（２１）と、前記第１取っ手部と前記第１取っ手本体との間、及び、前記第２取っ手部と前記第２取っ手本体との間に折り線（５２，５３）を介してそれぞれ設けられ、前記第１取っ手本体及び前記第２取っ手本体が前記容器本体の外部に突出せず、前記容器本体の内部に留まるための第１抜け留め面部（５１）及び第２抜け留め面部（５１）とを有し、前記第１取っ手本体と前記第１抜け留め面部と前記第１取っ手部と、前記第２取っ手本体と前記第２抜け留め面部と前記第２取っ手部とは、前記第１取っ手部と前記第２取っ手部との間に形成された中央折り線（２２）で連接され、かつ、対称な形状であり、前記取っ手部は、前記中央折り線に沿って折り重ねて形成され、前記第１取っ手本体及び前記第２取っ手本体は、前記容器本体の対向する２つの内壁に沿って位置すること、を特徴とする容器（１）である。
請求項２の発明は、請求項１に記載の容器において、前記第１抜け留め面部（５１）及び前記第２抜け留め面部（５１）は、前記取っ手部（２１）が前記容器本体（１０）の外部に突出した状態で、前記上面部（１１）に沿って略平行な面となること、を特徴とする容器（１０）である。
請求項３の発明は、請求項１又は請求項２に記載の容器において、前記第１取っ手部（２１）は、取っ手用開口部（２３）を有し、前記第２取っ手部は、前記取っ手用開口部に対応する位置に、切り抜き線（２４）と開口部折り線（２６）とによって形成された開口部片（２５）を有し、前記開口部片が前記開口部折り線に沿って前記取っ手用開口部側へ折られることにより、前記取っ手部の取っ手用開口部が貫通して形成されること、を特徴とする容器（１０）である。
請求項４の発明は、請求項１から請求項３までのいずれか１項に記載の容器において、前記開口部（１４）は、前記開口部の他の部分に比べて、開口が大きく形成された部分（１４ａ，１４ｂ）を有すること、を特徴とする容器である。
【発明の効果】
【０００８】
本発明によれば、以下の効果を奏することができる。
（１）本発明による容器は、開口部を通って容器本体の外部に突出可能であり、かつ、容器本体の内部に収納可能である取っ手部を有する取っ手本体を備えている。従って、取っ手部を容器本体の外部に突出させることより、容器を持ち運ぶことが可能である。また、取っ手部を容器本体の内部に収納することにより、容器を安定して積み重ねることができる。さらに、取っ手部が容器本体の外部に突出した状態と、容器本体の内部に収納された状態とを、容器を使用する状況等に応じて適宜選択できる。
【０００９】
（２）取っ手本体は、容器本体の外部に突出せず、容器本体の内部に留まるための抜け留め部を有するので、取っ手部を掴んで容器を持ち運ぶ場合に、取っ手本体が開口部から容器本体外部に抜け出すことを防止し、安全に持ち運ぶことができる。
【００１０】
（３）取っ手本体は、容器本体の内部の空間を仕切るので、内部に収納された収納物を安定して収納することができる。
【００１１】
（４）開口部は、開口部の他の部分に比べて、開口が大きく形成された部分を有するので、指等が入れやすく、取っ手部を容器本体の外部に容易に突出させることができる。
【００１２】
（５）取っ手部は、切り抜き線と折り線とによって形成された開口部片を有し、折り線に沿って折ることにより、取っ手用開口部が形成されるので、取っ手部の強度を向上させることができる。また、使用者が取っ手部を持った場合に、取っ手用開口部の端面に手が直接触れることがないので、持ち運びやすい。
【図面の簡単な説明】
【００１３】
【図１】本実施形態の容器１を示す図である。
【図２】本実施形態の容器１の展開図である。
【図３】本実施形態の容器本体１０と取っ手本体２０とを組み立てる途中の様子を示す図である。
【図４】容器本体１０の内部に飲料缶３０と取っ手本体２０とを収納する様子を示す図である。
【図５】使用時の取っ手本体２０及び取っ手部２１の様子を示している。
【図６】取っ手本体の変形形態の例を示す図である。
【発明を実施するための形態】
【００１４】
本発明は、取っ手を用いて容易に持ち運び可能であり、かつ、安定して積み重ねることができる容器を提供するという目的を、容器本体と、容器本体の上面部に形成された開口部と、開口部を通って容器本体の外部に突出可能、かつ、容器本体の内部に収納可能な取っ手部を有する取っ手本体とを備える容器とすることにより実現した。
【００１５】
（実施形態）
図１は、本実施形態の容器１を示す図である。図１（ａ）は、本実施形態の容器１の斜視図であり、図１（ｂ）は、容器１の内部を示す透視図である。図１（ｃ）は、取っ手部２１を有する取っ手本体２０を示す図である。
図２は、本実施形態の容器１の展開図である。図２（ａ）は、容器本体１０の展開図であり、図２（ｂ）は、取っ手本体２０の展開図である。なお、図２において、折り線は、破線で示している。
図３は、本実施形態の容器本体１０と取っ手本体２０とを組み立てる途中の様子を示す図である。図３（ａ）は、容器本体１０を組み立てる途中の様子を示し、図３（ｂ）は、取っ手本体２０を組み立てる途中の様子を示す。
本実施形態の容器１は、略直方体形状であり、収納物を収納する容器本体１０と、容器１を持ち運ぶ際に使用される取っ手部２１を有する取っ手本体２０とを備えている。容器本体１０と取っ手本体２０とは、別体である。本実施形態では、容器１は、紙製の段ボールを用いて形成されている。
この容器１は、本実施形態では、飲料缶３０を収納しており、６本（３本×２列）配置した上に同様に６本配置し、合わせて１２本収納可能である（図１（ｂ）参照）。
なお、図１を含め以下に示す図３〜図６において、理解を容易にするために、ＸＹＺ座標を用いている。このＸＹＺ座標は、Ｘ軸方向が容器１の奥行き方向に平行であり、Ｙ軸方向が容器１の幅方向に平行であり、Ｚ軸方向が容器１の高さ方向に平行である。
【００１６】
容器本体１０は、略直方体形状であり、容器１の上面を形成する上面部１１と、側面を形成する側面部１２と、底面を形成する底面部１３と、上面部１１に設けられた開口部１４等を有している。
容器本体１０は、図２（ａ）に示すように、１枚のシート状の部材を所定の折り線等に沿って折る等して組み立てることにより、立体形状となる。容器本体１０の内寸は、奥行き（Ｘ軸方向の寸法）がＤ１、幅（Ｙ軸方向の寸法）がＷ１，高さ（Ｚ軸方向の寸法）がＨ１である。
【００１７】
側面部１２は、容器１の側面を形成する部分であり、図２（ａ）中に示す折り線に沿って折ることにより、４つの面部（１２−１〜１２−４）に区切られる。
本実施形態では、側面部１２の端部（図２（ａ）に示す面部１２−１の端部）には糊しろ１９が形成されており、側面部１２の他方の端部（図２（ａ）に示す面部１２−４の端部）に接合することにより立体状態を形成できる。
【００１８】
底面部１３は、側面部１２から延長された４つの面部１３−１〜１３−４によって構成され、４つの面部を互いに嵌め合うことにより、形成されている（図３（ａ）参照）。本実施形態では、面部１３−１，１３−３は、接合片１３−１ａ，１３−３ａを有している。この接合片１３−１ａ，１３−３ａは、面部１３−１〜１３−４を嵌め合って底面部１３を形成したときに、それぞれ、面部１３−２，１３−４の一部の領域と重なる。その領域と接合片１３−１ａ，１３−３ａとは、接着剤等を用いて接合されており、底面部１３としての強度を補強している。
【００１９】
上面部１１は、側面部１２から延長された４つの面部１１−１〜１１−４から形成されている。この４つの面部１１−１〜１１−４は、側面部１２の底面部１３を形成する４つの面部が延長された端部とは反対側の端部から延長されている。
上面部１１の略中央には、略スリット形状の開口部１４が形成されている。この開口部１４は、図１（ａ）に示すように、容器１の幅方向（Ｙ軸方向）に略平行に形成されている。
また、開口部１４は、開口部１４の他の部分より開口が大きく形成された部分である補助開口部１４ａ，１４ｂを有している。本実施形態の補助開口部１４ａ，１４ｂは、略円形形状であり、開口部１４の中心に対して略対称な位置に形成されている。
【００２０】
本実施形態の上面部１１を形成する面部１１−１，１１−３は、容器本体１０の上面部１１と略等しい大きさであるが、面部１１−２，１１−４は、Ｙ軸方向の寸法が上面部１１のＹ軸方向の寸法の略１／２倍に等しいか、又は１／２倍より若干小さい。そのため、面部１１−１，１１−３には、開口部１４の全部が形成され、面部１１−２，１１−４には、開口部１４の一部（面部１１−２には、補助開口部１４ｂを含む開口部１４の一方の端部、面部１１−４には、補助開口部１４ａを含む開口部１４の他方の端部）が形成されている。
さらに、上面部１１を形成する面部１１−１と側面部１２（面部１２−１）との境界部分の略中央部分には、係止孔１７と、側面部１２（面部１２−１）から延長された係止爪１８が形成されている。また、面部１１−３の側面部１２とは反対側の端部の略中央部分には、係止爪１５が形成され、この係止爪１５と面部１１−３との境界部分には、係止孔１６が形成されている。
【００２１】
取っ手本体２０は、略矩形であり、略平板状の部材であり、取っ手部２１と、抜け止め部２７等とを有している。また、本実施形態では、取っ手本体２０は、容器本体１０の内部の空間を仕切る機能を有している（図１（ｂ）参照）。
この取っ手本体２０の取っ手部２１を含むＺ軸方向の寸法（高さ）Ｈ２及び取っ手本体２０のＹ軸方向の寸法（幅）Ｗ２は、それぞれ、容器本体１０の高さ方向の内寸Ｈ１及び幅方向の内寸Ｗ１と略等しいか又は若干小さくなるように形成されている。従って、取っ手本体２０及び取っ手部２１は、容器本体１０の内部に収納することができ、収納した場合に上面部１１等が変形することがない。
本実施形態の取っ手本体２０及び取っ手部２１は、１枚のシート状の部材を、その略中央に形成された折り線２２に沿って折り重ねることにより形成される（図２（ｂ）及び図３（ｂ）参照）。なお、説明を容易にするため、必要に応じて、取っ手本体２０の折り線２２に対して一方側を取っ手本体２０−１、他方側を取っ手本体２０−２と呼ぶこととする。
【００２２】
取っ手部２１は、使用状態において、取っ手本体２０のＺ軸の正の方向側の端部であり、Ｙ軸方向の略中央となる位置に形成されており、取っ手用開口部２３と、開口部片２５等を有している。この取っ手部２１は、容器本体１０の開口部１４を通って容器本体１０の外部に突出可能、かつ、容器本体１０の内部に収納可能である。
図２（ｂ）に示すように、取っ手本体２０−１側の取っ手部２１−１には取っ手用開口部２３が形成され、取っ手本体２０−２側の取っ手部２１−２には、切り込み部２４と折り線２６とによって、開口部片２５が形成されている。この切り込み部２４は、略Ｕ字形状であり、折り線２６は、切り込み部２４の端部を結ぶように、切り込み部２４に対して使用状態においてＺ軸の正の方向（垂直方向上側）となる位置に形成されている。
取っ手用開口部２３と開口部片２５とは、折り線２２を挟んで略対称な位置に、略対称な形状で形成されている（図２（ｂ）参照）。従って、折り線２２に沿って取っ手本体２０−１と取っ手本体２０−２とが重なるように折った場合に、取っ手用開口部２３と開口部片２５とが略重なる形態となっている。
【００２３】
取っ手本体２０は、容器本体１０の開口部１４から突出せず、容器本体１０の内部に留まるようにする抜け止め部２７を有している。この抜け止め部２７は、取っ手本体２０の取っ手部２１側の端部であり、取っ手部２１が形成されていない部分である。
本実施形態では、取っ手部２１の厚みｄ２は、開口部１４のＸ軸方向の寸法ｄ１より小さく、取っ手部２１のＹ軸方向の寸法Ｔ２は、開口部１４のＹ軸方向の寸法Ｔ１より小さい。従って、取っ手部２１は、開口部１４を通って容器本体１０の外部に突出可能である。
取っ手本体２０のＹ軸方向の寸法Ｗ２は、開口部１４のＹ軸方向の寸法Ｔ１より大きい。そのため、取っ手部２１が開口部１４を通って容器本体１０の外部に突出するとき、抜け止め部２７は、容器本体１０の上面部１１の内側に当接し、取っ手本体２０が容器本体１０の外部に突出することを防ぎ、容器本体１０の内部に位置するための抜け止めとして機能する。
【００２４】
次に、本実施形態の容器１の使用方法の例を説明する。
図４は、容器本体１０の内部に飲料缶３０と取っ手本体２０とを収納する様子を示す図である。
図５は、使用時の取っ手部２１及び取っ手本体２０の様子を示している。
まず、容器本体１０に、飲料缶３０と取っ手本体２０とを収納する。取っ手本体２０は、取っ手部２１が上面部１１側（Ｚ軸の正の方向側）となるようにし、容器本体１０のＹ軸方向に略平行にして、容器本体１０の略中央に配置する（図４（ａ）参照）。
上面部１１を形成する面部１１−２，１１−４を、容器本体１０の内側へ折る（図４（ｂ）参照）。このとき、取っ手部２１は、その一部が面部１１−２，１１−４に形成されている開口部１４（１４−２，１４−４）の内側に位置している。
【００２５】
次に、上面部１１を形成する面部１１−１を、面部１１−２，１１−４を覆うように容器本体１０の内側へ折り曲げ、この面部１１−１を覆うように、面部１１−３を容器本体１０の内側へ向けて折る。
このとき、面部１１−３に形成されている係止爪１５を、面部１１−１の係止孔１７に差し込み、側面部１２から延長された係止爪１８を、面部１１−３の係止孔１６に差し込む（図４（ｃ）参照）。これにより、上面部１１は係止され、不用意に上面部１１が開くことはない。
図４（ｄ）に示す状態では、取っ手部２１は、容器本体１０の内部に位置しており、開口部１４から容器本体１０の内部に位置する取っ手部２１が確認できるのみであり、容器本体１０の外部へは突出していない。従って、保管時や店頭陳列時等では、容器１を安定して積み重ねることが可能である。
【００２６】
ここで、図４（ｃ）及び（ｄ）等に示すように、開口部１４には、他の部分より開口が大きく形成された補助開口部１４ａ，１４ｂが形成されている。上述のように、取っ手本体２０のＺ軸方向の寸法Ｈ２は、容器本体１０のＺ軸方向の内寸Ｈ１と略等しい、又は若干小さい。従って、補助開口部１４ａ，１４ｂに指を入れる等して、取っ手部２１をＺ軸の正の方向に容易に摘み出すことができ、容器本体１０の外部へ容易に突出させることが可能である（図５（ａ）及び（ｂ）参照）。
【００２７】
開口部１４を通して取っ手部２１をＺ軸方向に移動させて容器本体１０の外部に突出させると、抜け止め部２７は、容器本体１０の内部に当接し、取っ手本体２０が容器本体１０の外部へ抜け出さないようにする。
取っ手部２１を容器本体１０の外部に突出させた後に、取っ手部２１−２に形成された開口部片２５を、折り線２６に沿って取っ手部２１−１側へ折り曲げる（図５（ｃ）参照）。これにより、開口部片２５によって塞がれていた取っ手用開口部２３が開口し、取っ手部２１を手で掴んで容器１を持ち運ぶことができる（図５（ｄ）参照）。
持ち運んだ後に保管する場合等、取っ手部２１を使用しない場合には、取っ手部２１をＺ軸の負の方向に移動させ、容器本体１０の内部に収納することができる（図５（ａ）参照）。
【００２８】
以上の通り、本実施形態によれば、取っ手部２１を掴んで容易に持ち運ぶことができ、かつ、保管時等には安定して積み重ねることができる。
また、開口部片２５を上述のように折り曲げることにより、取っ手用開口部２３を形成する断面に直接手が触れないので、段ボールの断面で手を切る等の怪我を防止できる。また、容器１に収納された飲料缶等が重い場合にも、取っ手部２１が十分な強度を保つことができる。
【００２９】
さらに、持ち運んだ後に再び保管する等、取っ手部２１を使用しない場合には、図５（ａ）に示すように、取っ手部２１を開口部１４を通して容器本体１０の内部に収納することができる。従って、上面部１１は、略平面状となり、上面部１１の上に他の容器等を安定して積み重ねることができる。
さらにまた、容器１の使用状況に合わせて、取っ手部２１が容器本体１０の外部に突出した形態と容器本体１０の内部に収納した形態とを適宜選択できるので、便利である。
その上、上面部１１は、側面部１２から延長された面部１１−１〜１１−４で構成され、係止孔１７と係止爪１５、及び、係止孔１６と係止爪１８とによって十分係止されており、抜け止め部２７は、上面部１１を形成する面部１１−１〜１１−３の３つの面部が積層された部分と、面部１１−１，１１−３，１１−４の３つの面部が積層された部分とに当接するので、容器１の収納物が重い場合にも、安定して持ち運ぶことができる。
【００３０】
（変形形態）
以上説明した実施形態に限定されることなく、種々の変形や変更が可能であって、それらも本発明の範囲内である。
（１）本実施形態では、取っ手本体２０は、容器本体１０の内部の空間を仕切る機能を有する例を示したが、容器本体１０の内部の空間を仕切らない形態としてもよい。
図６は、取っ手本体の変形形態の例を示す図である。図６（ａ）は、変形形態の取っ手本体４０の展開図であり、図６（ｂ）は、変形形態の取っ手本体４０を使用状態を示す容器２のＹＺ平面での断面図である。図６（ｃ）は、変形形態の取っ手本体５０を示す展開図であり、図６（ｄ）は、変形形態の取っ手本体５０を使用状態を示す容器３のＸＺ平面での断面図である。
変形形態の容器２，３は、取っ手本体４０，５０の形状が上述の実施形態に示した容器１と異なる点以外は、実施形態の容器１と略同様の形態である。よって、各変形形態において、上述した実施形態と同様の機能を果たす部分には、同一の符号を付して、重複する説明を適宜省略する。
【００３１】
変形形態の取っ手本体４０は、図６（ａ），（ｂ）に示すように、取っ手本体４０の内側部分が、使用状態における底面部１３側に開口する形で略矩形形状に切り抜かれている。従って、取っ手本体４０は、容器本体１０内部の空間を仕切る機能を有していない。
また、変形形態の取っ手本体５０は、図６（ｃ）に示すように、取っ手本体５０と取っ手部２１との間に、抜け止め面部５１を有している。この取っ手本体５０は、折り線５２，５３に沿って折ることにより、図６（ｄ）に示すように、使用状態において、抜け止め面部５１は、上面部１１と略平行な面となり、取っ手本体５０の抜け止めとして機能する。また、このとき、取っ手本体５０は、容器本体１０の内壁に沿って位置する形態となり、取っ手本体５０は、容器本体１０の内部の空間を仕切る機能を有していない。
取っ手本体を図６に示すような変形形態とすることにより、例えば、ホールケーキや鉢植え、人形等のように、容器本体１０内部の仕切りを不要とするような、容積の大きな単体を収納できる。
【００３２】
（２）本実施形態では、容器１は、容器本体１０及び取っ手本体２０が共に段ボールを用いて作製される例を示したが、これに限らず、例えば、他の紙を用いて作製してもよいし、ポリプロピレン（ＰＰ）樹脂やポリエチレンテレフタレート（ＰＥＴ）樹脂等のプラスチックを用いて作製してもよい。例えば、透明なＰＰ樹脂等を用いて容器１を作製した場合には、容器本体１０外部から中身を確認できる。
【００３３】
（３）本実施形態では、容器１に飲料缶３０が収納される例を示したが、これに限らず、例えば、飲料等が入った細首瓶等の瓶でもよいし、切花や鉢植え等でもよいし、ケーキ等の食料品等でもよく、特に限定しない。
【００３４】
（４）本実施形態では、容器１に飲料缶３０が下段に６本、上段に６本の合計１２本収納される例を示したが、飲料缶３０の本数は６本でもよいし、４本や、１８本でもよいし、容器１の強度に合わせて適宜選択してよい。
【００３５】
（５）本実施形態では、容器本体１０外側の側面部１２等は無地である例を示したが、これに限らず、商品名やロゴマーク、絵柄、バーコード等を印刷し、宣伝効果や利便性、意匠性等を高めてもよい。
【００３６】
（６）本実施形態では、取っ手本体２０−２側の取っ手部２１−２に開口部片２５が形成される例を示したが、開口部片２５ではなく、取っ手用開口部２３を設けてもよい。
【００３７】
（７）本実施形態では、開口部１４の他の部分より開口が大きく形成された部分として、２つの補助開口部１４ａ，１４ｂが形成される例を示したが、これに限らず、補助開口部は開口部１４の略中央に１つ形成する形態としてもよい。
なお、実施形態及び変形形態は、適宜組み合わせて用いることもできるが、詳細な説明は省略する。また、本発明は以上説明した実施形態及び変形形態によって限定されることはない。
【符号の説明】
【００３８】
１    容器
１０    容器本体
１１    上面部
１２    側面部
１３    底面部
１４    開口部
２０    取っ手本体
２１    取っ手部
２３    取っ手用開口部
２４    切り込み
２５    開口部片
２６    折り線
２７    抜け止め部
【図１】
2012210981.tif 000003
【図２】
2012210981.tif 000004
【図３】
2012210981.tif 000005
【図４】
2012210981.tif 000006
【図５】
2012210981.tif 000007
【図６】
2012210981.tif 000008